(57)【要約】【課題】  服やカバン等の身の回り品に手軽に体裁よく取り付けることができ、しかも、小物の収納だけでなく装飾効果も高めることができるポケット付ワッペンを提供する。【解決手段】  表側シート部材２と裏側シート部材３とを有し、表側シート部材２と裏側シート部材３とで上部側に開口部８を有するポケット９が形成され、裏側シート部材３の裏面に、加熱加圧されることにより接着可能となるホットメルト型接着シート１１が設けられ、表側シート部材２の表面に、刺繍やプリント等により絵柄や文字からなる装飾１３が施されている。【選択図】図５
0003177964.tif 000002
【実用新案登録請求の範囲】
【請求項１】
表側シート部材（２）と裏側シート部材（３）とを有し、表側シート部材（２）と裏側シート部材（３）とで上部側に開口部（８）を有するポケット（９）が形成され、裏側シート部材（３）の裏面に、加熱加圧されることにより接着可能となるホットメルト型接着シート（１１）が設けられ、表側シート部材（２）の表面に、刺繍やプリント等により絵柄や文字からなる装飾（１３）が施されていることを特徴とするポケット付ワッペン。
【請求項２】
表側シート部材（２）と裏側シート部材（３）とは上部側を除いて互いに同一形状に形成され、表側シート部材（２）と裏側シート部材（３）との周囲は上部側を残して互いに縫合（６）されて、上部側が開口した袋状に形成されていることを特徴とする請求項１に記載のポケット付ワッペン。
【請求項３】
前記ホットメルト型接着シート（１１）は、裏側シート部材（３）の裏面の全域にわって配置されていることを特徴とする請求項１又は２に記載のポケット付ワッペン。
【請求項４】
表側シート部材（２）の上部はその左右全幅に亘って裏側シート部材（３）の上端よりも上方突出されていることを特徴とする請求項１〜３のいずれかに記載のポケット付ワッペン。
【請求項５】
表側シート部材（２）がキャラクターや動物の顔の形状に形成され、前記表側シート部材（２）の表面に施した装飾（１３）が、顔の中の目や鼻や口の絵柄を刺繍したものであることを特徴とする請求項１〜４のいずれかに記載のポケット付ワッペン。
【考案の詳細な説明】
【技術分野】
【０００１】
本考案は、装飾性を有するポケット付ワッペンに関するものである。
【背景技術】
【０００２】
衣服やカバンなどの身の回り品において当初から設けられているポケット以外に、小物などを収納するために、新たなポケットが必要となる場合がある。特に就学児童の集団生活においてはポケットやワッペンなどの独自の装飾を施すことで、自分の持ち物を一目で区別化できる目印としての効果がある。
ところで、衣服やカバンなどの身の回り品において、あらかじめ意図した場所にポケットが設けられていない場合は、別の布地等を用いて縫合によりポケットを後付けするようにしていたが、縫合により後付けする作業が非常に面倒であり、また、ポケットが後付けであるため体裁が悪くなることも多かった。
そこで、従来では、新たなポケットを簡単に後付けできるようにするために、シート状物を任意形状に切断してなるポケット基材と、該基材の一面の所要箇所に設けられたホットメルト層からなるワッペン型ポケットが既に考案されている（例えば特許文献１）。
また、従来から装飾性を考慮したポケット付ワッペンが提案されており、このようなポケット付ワッペンには、表側シート部材と裏側シート部材とを有し、表側シート部材と裏側シート部材とで上部側に開口部を有するポケットを形成したものがあり、この種の従来のポケット付ワッペンは、衣服やカバン等の身の回り品に、ポケット付ワッペンの外周部を縫い付けて取り付けるようにしていた（例えば特許文献２）。
【先行技術文献】
【特許文献】
【０００３】
【特許文献１】実開昭６２−１０６９１９号公報
【特許文献２】登録実用新案第３０４９６５６号公報
【考案の概要】
【考案が解決しようとする課題】
【０００４】
しかし、前者の従来（ワッペン型ポケット）の場合、後付けにより、衣服やカバン等の身の回り品に簡単に新たなポケットを取り付けることができるが、ワッペンとしての装飾性に欠けるという問題があった。
また、後者の従来の場合は、ポケット付ワッペンの外周部を縫いつけて衣服やカバン等の身の回り品に取り付けるようにしていたため、カバン等袋状に加工済みのものや衣服のように立体的に縫製された既成品への縫いつけは極めて難しく、大変手間がかかるものであり、仕上がりが美しくならない場合も多く、手軽にポケットを作る作業ができなかった。
本考案は上記問題点に鑑み、服やカバン等の身の回り品に手軽に体裁よく取り付けることができ、しかも、小物の収納だけでなく装飾効果も高めることができるポケット付ワッペンを提供することを目的とする。
【課題を解決するための手段】
【０００５】
本考案における課題解決のための具体的手段は、次の通りである。
この技術的課題を解決する本考案の技術的手段は、表側シート部材２と裏側シート部材３とを有し、表側シート部材２と裏側シート部材３とで上部側に開口部８を有するポケット９が形成され、裏側シート部材３の裏面に、加熱加圧されることにより接着可能となるホットメルト型接着シート１１が設けられ、表側シート部材２の表面に、刺繍やプリント等により絵柄や文字からなる装飾１３が施されている点にある。
また、本考案の他の技術的手段は、表側シート部材２と裏側シート部材３とは上部側を除いて互いに同一形状に形成され、表側シート部材２と裏側シート部材３との周囲は上部側を残して互いに縫合６されて、上部側が開口した袋状に形成されている点にある。
また、本考案の他の技術的手段は、前記ホットメルト型接着シート１１は、裏側シート部材３の裏面の全域にわって配置されている点にある。
また、本考案の他の技術的手段は、表側シート部材２の上部はその左右全幅に亘って裏側シート部材３の上端よりも上方突出されている点にある。
本考案の各部構成は、上記の構成に限定されるものではなく、実用新案登録請求の範囲に記載した技術的範囲内で種々改変が可能である。
各請求項において、表側シート部材（２）の上部が裏側シート部材(３)の上端よりも上方突出する場合としない場合の両方を含むことはもちろんである。
また、本考案の他の技術的手段は、表側シート部材２がキャラクターや動物の顔の形状に形成され、前記表側シート部材２の表面に施した装飾１３が、顔の中の目や鼻や口の絵柄を刺繍したものである点にある。
本考案の各部構成は、上記の構成に限定されるものではなく、実用新案登録請求の範囲に記載した技術的範囲内で種々改変が可能である。
【考案の効果】
【０００６】
請求項１によれば、アイロンで加熱加圧するだけでポケット付ワッペンを衣服やカバン等の身の回り品に簡単に取り付けることができて、従来のようにいちいち縫い付けをする作業が不要になるため、アイロンを用いてポケット付ワッペンを身の回り品の任意の位置に誰でも簡単に取り付けることが可能になる。
しかも、一度の取り付け作業でワッペンとしての装飾効果を得られると同時にポケットとしての機能も得られる。また、一度の作業でワッペンでの装飾とポケットの設置が完了するため、大幅に作業時間の縮小と手間も解消される。
請求項２によれば、表側シート部材と裏側シート部材とが上部側を除いて形状が一致した状態で前後に重合することにより、外観上の体裁が良くなるし、構造が簡単でポケット付ワッペンを容易かつ安価に製造できるようになる。
請求項３によれば、裏側シート部材の全体を衣服やカバン等の身の回り品に強力かつ美麗に接着することが可能になり、装飾性に富み実用性に優れたものとなる。
請求項４によれば、表側シート部材の上部裏面に指等を引っ掛け易くなり、ここに指等を引っ掛けてポケットの開口部を簡単に開くことが可能になり、ポケットに小物を簡単に出し入れすることができるようになる。
請求項５によれば、装飾性をより増加することができ、特に就学児童の集団生活においては、独自の装飾を施すことができ、自分の持ち物を一目で区別化できる目印としての効果も大きくなる。
【図面の簡単な説明】
【０００７】
【図１】本考案の一実施形態を示すポケット付ワッペンの正面図である。
【図２】同ポケット付ワッペンの背面図である。
【図３】同図１のＡ−Ａ線断面図である。
【図４】同図１のＢ−Ｂ線断面図である。
【図５】同ポケットの開口部を開いた状態のポケット付ワッペンの斜視図である。
【図６】同カバンにポケット付ワッペンを取り付けた状態の正面図である。
【考案を実施するための形態】
【０００８】
以下、本考案の実施の形態を図面に基づいて説明する。
図１〜図６は本考案の一実施形態を示している。図１〜図５において、ポケット付ワッペン１は、表側シート部材２と裏側シート部材３とを有している。これら表側シート部材２と裏側シート部材３とは、それぞれ厚手の布地により形成されている。ここで、ワッペンとは、衣服やカバンなどの身の回り品に取り付けられる装飾を施した飾りをいう。
表側シート部材２と裏側シート部材３とは上部側を除いて互いに同一形状に形成され、表側シート部材２の上部はその左右全幅に亘って裏側シート部材３の上端よりも上方に突出されている。
表側シート部材２と裏側シート部材３との周囲は上部側を残して互いに縫合６されて、上部側が開口した袋状に形成されている。これにより、表側シート部材２と裏側シート部材３とで上部側に開口部８を有するポケット９が形成されている。ここで、縫合とは、縫ってつなぎ合わせることをいい、本実施形態では、縫うことによって表側シート部材２と裏側シート部材３との外周部同士が互いに結合されている。
裏側シート部材３の裏面に、加熱加圧されることにより接着可能となるホットメルト型接着シート１１が設けられている。ホットメルトとは、常温では固形のものを加熱溶融させて塗布し、冷却によって固着するものをいい、ホットメルト型接着シート１１は、裏側シート部材３の裏面の全域にわって配置されている。
裏側シート部材３の裏面にホットメルト型接着シート１１を設ける方法としては、印刷により裏側シート部材３の裏面にホットメルト型接着剤を塗布してもよいし、ホットメルト型接着シート１１を貼り付けるようにしてもよい。
表側シート部材２がキャラクターや動物の顔の形状に形成されている。図例では熊の顔の形に形成されている。表側シート部材２の表面に、刺繍やプリント等により絵柄や文字からなる装飾１３が施されている。本実施形態では、具体的には、表側シート部材２の表面に施した装飾１３は、熊の顔の目や鼻や口の絵柄を刺繍したものである。
ここで、キャラクターとは、小説、芝居、漫画、映画、アニメ、コンピュータゲームなどのフィクションに登場する人物や動物などをいう。人間や動物のような生物や、生物を模したロボットに限らず、さまざまな道具、時には生物の器官、星や元素、さらには感情や自然など、ありとあらゆる概念は擬人化とデフォルメを介することでキャラクター化されうる。
また、刺繍とは、布地あるいはその他の素材に針とより糸で装飾を施す技術、もしくは手芸のことである。刺繍には金属片や真珠、ビーズ、羽柄、スパンコールなどが用いられる場合もある。
上記実施形態によれば、身の回り品であるカバン１５にポケット付ワッペン１を取り付ける場合、ホットメルト型接着シート１１が接当するようにポケット付ワッペン１をカバン１５の好みの位置に置いた後、アイロンを表側シート部材２側からポケット付ワッペン１に押し当てて、ホットメルト型接着シート１１をカバン１５に向けて加熱加圧すればよく、図６に示すように、カバン１５にポケット付ワッペン１を取り付けることができる。
この場合、本実施形態では、表側シート部材２と裏側シート部材３とで上部側に開口部８を有するポケット９が形成され、裏側シート部材３の裏面に、加熱加圧されることにより接着可能となるホットメルト型接着シート１１が設けられ、表側シート部材２の表面に、刺繍やプリント等により絵柄や文字からなる装飾１３が施されているので、アイロンで加熱加圧するだけでポケット付ワッペン１を衣服やカバン１５等の身の回り品に簡単に取り付けることができて、従来のようにいちいち縫い付けをする作業が不要になるため、アイロンを用いてポケット付ワッペン１を身の回り品の任意の位置に誰でも簡単に取り付けることが可能になる。
しかも、一度の取り付け作業でワッペンとしての装飾効果を得られると同時にポケットとしての機能も得られる。また、一度の作業でワッペンでの装飾とポケットの設置が完了するため、大幅に作業時間の縮小と手間も解消される。
また、表側シート部材２と裏側シート部材３とは上部側を除いて互いに同一形状に形成され、表側シート部材２と裏側シート部材３との周囲は上部側を残して互いに縫合６されて、上部側が開口した袋状に形成されているので、表側シート部材２と裏側シート部材３とが上部側を除いて形状が一致した状態で前後に重合することにより、外観上の体裁が良くなるし、構造が簡単でポケット付ワッペン１を容易かつ安価に製造できるようになる。
また、前記ホットメルト型接着シート１１は、裏側シート部材３の裏面の全域にわって配置されているので、裏側シート部材３の全体を衣服やカバン１５等の身の回り品に強力かつ美麗に接着することが可能になり、装飾性に富み実用性に優れたものとなる。
また、表側シート部材２の上部はその左右全幅に亘って裏側シート部材３の上端よりも上方突出されているので、表側シート部材２の上部裏面に指等を引っ掛け易くなり、ここに指等を引っ掛けてポケット９の開口部８を簡単に開くことが可能になり、ポケット９に小物を簡単に出し入れすることができるようになる。
また、表側シート部材２がキャラクターや動物の顔の形状に形成され、前記表側シート部材２の表面に施した装飾１３が、顔の中の目や鼻や口の絵柄を刺繍したものであるので、装飾性をより増加することができ、特に就学児童の集団生活においては、独自の装飾を施すことができ、自分の持ち物を一目で区別化できる目印としての効果も大きくなる。
なお、前記実施形態では、表側シート部材２、裏側シート部材３は、布地により構成されているが、これに代え、表側シート部材２、裏側シート部材３を、布地以外に耐熱性を有する合成樹脂シートで構成してもよいし、厚紙その他で構成してもよい。
また、前記実施形態では、表側シート部材２と裏側シート部材３との周囲は上部側を残して互いに縫合６されているが、これに代え、表側シート部材２と裏側シート部材３との周囲を接着剤等で接着するようにしてもよいし、溶着するようにしてもよい。
【符号の説明】
【０００９】
１      ポケット付ワッペン
２      表側シート部材
３      裏側シート部材
６      縫合
８      開口部
９      ポケット
１１    ホットメルト型接着シート
１３    装飾
【図１】
0003177964.tif 000003
【図２】
0003177964.tif 000004
【図３】
0003177964.tif 000005
【図４】
0003177964.tif 000006
【図５】
0003177964.tif 000007
【図６】
0003177964.tif 000008